(57)【要約】 【課題】  ヘッドホンの利用時に周囲の音のうち予め定めた音を聴き取ることを可能にするとともに、予め定めた音であるか否かの判別精度を向上させる。【解決手段】  左チャネルの音信号をヘッドホンの左側スピーカへ供給し、右チャネルの音信号を右側スピーカへ供給するヘッドホン駆動制御装置に、左側スピーカの近傍に配置される第１のマイクおよび右側スピーカの近傍に配置される第２のマイクの出力信号に両耳処理を施して音源波形を示す波形データを生成し、出力する両耳信号処理部と、両耳信号処理部の出力データの表す波形が、予め定められた波形の何れかに一致するか否かを判定し、一致すると判定した場合に外部音検出信号を出力する音声認識処理部と、外部音検出信号を受け取った場合には、左チャネルの音信号に第１のマイクの出力信号をミキシングして出力する一方、右チャネルの音信号に第２のマイクの出力信号をミキシングして出力するミキサとを設ける。【選択図】図１
2008167319.tif 000002
【特許請求の範囲】
【請求項１】
左耳向けスピーカと右耳向けスピーカとを有し、前記左耳向けスピーカの近傍には第１のマイクが固定されている一方、前記右耳向けスピーカの近傍には第２のマイクが固定されているヘッドホンと、
音源装置から左チャネルおよび右チャネルの音信号を受け取り、左チャネルの音信号を前記左耳向けスピーカへ供給する一方、右チャネルの音信号を前記右耳向けスピーカへ供給するヘッドホン駆動制御装置と、
を備え、
前記ヘッドホン駆動制御装置は、
前記両マイクの出力信号の位相差または時間差の少なくとも一方を利用してノイズ分析およびノイズ低減を行い、それら出力信号の表す音の音源波形を示す波形データを生成し出力する両耳信号処理部と、
前記両耳信号処理部から出力される波形データの表す波形が、予め定められた１または複数の波形の何れかに一致するか否かを判定し、一致すると判定した場合に外部音検出信号を出力する音声認識処理部と、
前記音声認識処理部から外部音検出信号を受け取った場合に、前記第１のマイクの出力信号を前記左チャネルの音信号にミキシングして前記左耳向けスピーカへ供給する一方、前記第２のマイクの出力信号を前記右チャネルの音信号にミキシングして前記右耳向けスピーカへ供給するミキサと、
を有することを特徴とするヘッドホンシステム。
【請求項２】
左耳向けスピーカと右耳向けスピーカとを有し、前記左耳向けスピーカの近傍には第１のマイクが固定されている一方、前記右耳向けスピーカの近傍には第２のマイクが固定されているヘッドホンと、
音源装置から左チャネルおよび右チャネルの音信号を受け取り、左チャネルの音信号を前記左耳向けスピーカへ供給する一方、右チャネルの音信号を前記右耳向けスピーカへ供給するヘッドホン駆動制御装置と、
を備え、
前記ヘッドホン駆動制御装置は、
前記両マイクの出力信号の位相差または時間差の少なくとも一方を利用してノイズ分析およびノイズ低減を行い、それら出力信号の表す音の音源波形を示す波形データを生成し出力する両耳信号処理部と、
前記両耳信号処理部から出力される波形データの表す波形が、予め定められた１または複数の波形の何れかに一致するか否かを判定し、一致すると判定した場合に外部音検出信号を出力する音声認識処理部と、
前記音声認識処理部から外部音検出信号を受け取った場合に、左チャネルの音信号に代えて前記第１のマイクの出力信号を前記左耳向けスピーカへ供給し、右チャネルの音信号に代えて前記第２のマイクの出力信号を前記右耳向けスピーカへ供給する選択部と
を有することを特徴とするヘッドホンシステム。
【請求項３】
音源装置から受け取った左チャネルの音信号をヘッドホンの左耳向けスピーカへ供給する一方、前記音源装置から受け取った右チャネルの音信号を前記ヘッドホンの右耳向けスピーカへ供給するヘッドホン駆動制御装置において、
前記左耳向けスピーカの近傍に配置される第１のマイクの出力信号と前記右耳向けスピーカの近傍に配置される第２のマイクの出力信号の位相差または時間差の少なくとも一方を利用してノイズ分析およびノイズ低減を行い、それら出力信号の表す音の音源波形を示す波形データを生成し出力する両耳信号処理部と、
前記両耳信号処理部から出力される波形データの表す波形が、予め定められた１または複数の波形の何れかに一致するか否かを判定し、一致すると判定した場合に外部音検出信号を出力する音声認識処理部と、
前記音声認識処理部から外部音検出信号を受け取った場合に、前記左チャネルの音信号に前記第１のマイクの出力信号をミキシングして前記左耳向けスピーカへ供給する一方、前記右チャネルの音信号に前記第２のマイクの出力信号をミキシングして前記右耳向けスピーカへ供給するミキサと
を有することを特徴とするヘッドホン駆動制御装置。
【請求項４】
音源装置から受け取った左チャネルの音信号をヘッドホンの左耳向けスピーカへ供給する一方、前記音源装置から受け取った右チャネルの音信号を前記ヘッドホンの右耳向けスピーカへ供給するヘッドホン駆動制御装置において、
前記左耳向けスピーカの近傍に配置される第１のマイクの出力信号と前記右耳向けスピーカの近傍に配置される第２のマイクの出力信号の位相差または時間差の少なくとも一方を利用してノイズ分析およびノイズ低減を行い、それら出力信号の表す音の音源波形を示す波形データを生成し出力する両耳信号処理部と、
前記両耳信号処理部から出力される波形データの表す波形が、予め定められた１または複数の波形の何れかに一致するか否かを判定し、一致すると判定した場合に外部音検出信号を出力する音声認識処理部と、
前記音声認識処理部から外部音検出信号を受け取った場合に、左チャネルの音信号に代えて前記第１のマイクの出力信号を前記左耳向けスピーカへ供給し、右チャネルの音信号に代えて前記第２のマイクの出力信号を前記右耳向けスピーカへ供給する選択部と
を有することを特徴とするヘッドホン駆動制御装置。
【請求項５】
左耳向けスピーカと右耳向けスピーカとを有し、前記左耳向けスピーカの近傍には第１のマイクが固定されている一方、前記右耳向けスピーカの近傍には第２のマイクが固定されている
ことを特徴とするヘッドホン。
【発明の詳細な説明】
【技術分野】
【０００１】
本発明は、ヘッドホンの駆動制御装置に関し、特に、ヘッドホンを利用して楽音等を聴いているユーザが周囲の音も聴き取れるようにする技術に関する。
【背景技術】
【０００２】
近年、ＭＰ３プレーヤなどの携帯型楽音再生装置が普及している。この種の楽音再生装置は、屋外や電車などの車両内での利用も可能であり、その利用の際には周囲の騒音による影響を避けるため、消音ヘッドホン（以下、単に「ヘッドホン」と呼ぶ）を用いることが一般的である。
しかしながら、ヘッドホンを利用して楽音等を聴いている場合、例えば周囲からの呼びかけや注意、自動車のクラクション音などの警告音を聴き取ることができず、危険な場合があるといった問題点がある。このため、ヘッドホンの利用時においても周囲の音のうちの特定のものについてはそのユーザが聴き取ることを可能にする技術が種々提案されている。例えば、特許文献１では、音声入力部と、音声入力部に入力された音声の音量を調節する音量調節部と、音量調節部で音量が調節された音声を出力する音声出力部とを有する音量制御装置に、マイクロフォンと、音声パターンを記憶する記憶部と、マイクロフォンで検出された音声パターンを認識する音声パターン認識部と、音声パターン認識部がマイクロフォンで検出された音声に、記憶部に記憶された音声パターンを確認したとき、音量調節部に対して音量の調節を指令する音量制御部と、を設けることが提案されている。
【特許文献１】特開２００４−１３０８４号公報
【発明の開示】
【発明が解決しようとする課題】
【０００３】
しかしながら、特許文献１に開示された技術では、外部音が、聴き取る必要があるとしてユーザより予め定められた音であるのか、それとも、単なる騒音であるのかの判別を１つのマイクの出力信号を用いて行っているため、パターン認識による騒音との識別が現実的には難しいといった問題点がある。
本発明は上記課題に鑑みて為されたものであり、ヘッドホンの利用中であっても聴き取る必要があるとユーザにより予め定められた音をそのユーザに聴き取らせることを可能にするとともに、予め定められた音であるか否かの判別を精度良く行うことを可能にする技術を提供することを目的としている。
【課題を解決するための手段】
【０００４】
上記課題を解決するために、本発明は、左耳向けスピーカと右耳向けスピーカとを有し、前記左耳向けスピーカの近傍には第１のマイクが固定されている一方、前記右耳向けスピーカの近傍には第２のマイクが固定されているヘッドホンと、音源装置から左チャネルおよび右チャネルの音信号を受け取り、左チャネルの音信号を前記左耳向けスピーカへ供給する一方、右チャネルの音信号を前記右耳向けスピーカへ供給するヘッドホン駆動制御装置と、を備え、前記ヘッドホン駆動制御装置は、前記両マイクの出力信号の位相差または時間差の少なくとも一方を利用してノイズ分析およびノイズ低減を行い、それら出力信号の表す音の音源波形を示す波形データを生成し出力する両耳信号処理部と、前記両耳信号処理部から出力される波形データの表す波形が、予め定められた１または複数の波形の何れかに一致するか否かを判定し、一致すると判定した場合に外部音検出信号を出力する音声認識処理部と、前記音声認識処理部から外部音検出信号を受け取った場合に、前記第１のマイクの出力信号を前記左チャネルの音信号にミキシングして前記左耳向けスピーカへ供給する一方、前記第２のマイクの出力信号を前記右チャネルの音信号にミキシングして前記右耳向けスピーカへ供給するミキサと、を有することを特徴とするヘッドホンシステムを提供する。
【０００５】
また、上記課題を解決するために、本発明は、左耳向けスピーカと右耳向けスピーカとを有し、前記左耳向けスピーカの近傍には第１のマイクが固定されている一方、前記右耳向けスピーカの近傍には第２のマイクが固定されているヘッドホンと、音源装置から左チャネルおよび右チャネルの音信号を受け取り、左チャネルの音信号を前記左耳向けスピーカへ供給する一方、右チャネルの音信号を前記右耳向けスピーカへ供給するヘッドホン駆動制御装置と、を備え、前記ヘッドホン駆動制御装置は、前記両マイクの出力信号の位相差または時間差の少なくとも一方を利用してノイズ分析およびノイズ低減を行い、それら出力信号の表す音の音源波形を示す波形データを生成し出力する両耳信号処理部と、前記両耳信号処理部から出力される波形データの表す波形が、予め定められた１または複数の波形の何れかに一致するか否かを判定し、一致すると判定した場合に外部音検出信号を出力する音声認識処理部と、前記音声認識処理部から外部音検出信号を受け取った場合に、左チャネルの音信号に代えて前記第１のマイクの出力信号を前記左耳向けスピーカへ供給し、右チャネルの音信号に代えて前記第２のマイクの出力信号を前記右耳向けスピーカへ供給する選択部とを有することを特徴とするヘッドホンシステムを提供する。
【０００６】
また、上記課題を解決するために、本発明は、音源装置から受け取った左チャネルの音信号をヘッドホンの左耳向けスピーカへ供給する一方、前記音源装置から受け取った右チャネルの音信号を前記ヘッドホンの右耳向けスピーカへ供給するヘッドホン駆動制御装置において、前記左耳向けスピーカの近傍に配置される第１のマイクの出力信号と前記右耳向けスピーカの近傍に配置される第２のマイクの出力信号の位相差または時間差の少なくとも一方を利用してノイズ分析およびノイズ低減を行い、それら出力信号の表す音の音源波形を示す波形データを生成し出力する両耳信号処理部と、前記両耳信号処理部から出力される波形データの表す波形が、予め定められた１または複数の波形の何れかに一致するか否かを判定し、一致すると判定した場合に外部音検出信号を出力する音声認識処理部と、前記音声認識処理部から外部音検出信号を受け取った場合に、前記左チャネルの音信号に前記第１のマイクの出力信号をミキシングして前記左耳向けスピーカへ供給する一方、前記右チャネルの音信号に前記第２のマイクの出力信号をミキシングして前記右耳向けスピーカへ供給するミキサとを有することを特徴とするヘッドホン駆動制御装置を提供する。
【０００７】
また、上記課題を解決するために、本発明は、音源装置から受け取った左チャネルの音信号をヘッドホンの左耳向けスピーカへ供給する一方、前記音源装置から受け取った右チャネルの音信号を前記ヘッドホンの右耳向けスピーカへ供給するヘッドホン駆動制御装置において、前記左耳向けスピーカの近傍に配置される第１のマイクの出力信号と前記右耳向けスピーカの近傍に配置される第２のマイクの出力信号の位相差または時間差の少なくとも一方を利用してノイズ分析およびノイズ低減を行い、それら出力信号の表す音の音源波形を示す波形データを生成し出力する両耳信号処理部と、前記両耳信号処理部から出力される波形データの表す波形が、予め定められた１または複数の波形の何れかに一致するか否かを判定し、一致すると判定した場合に外部音検出信号を出力する音声認識処理部と、前記音声認識処理部から外部音検出信号を受け取った場合に、左チャネルの音信号に代えて前記第１のマイクの出力信号を前記左耳向けスピーカへ供給し、右チャネルの音信号に代えて前記第２のマイクの出力信号を前記右耳向けスピーカへ供給する選択部とを有することを特徴とするヘッドホン駆動制御装置を提供する。
【０００８】
また、上記課題を解決するために、本発明は、左耳向けスピーカと右耳向けスピーカとを有し、前記左耳向けスピーカの近傍には第１のマイクが固定されている一方、前記右耳向けスピーカの近傍には第２のマイクが固定されていることを特徴とするヘッドホンを提供する。
【発明の効果】
【０００９】
本発明によれば、ヘッドホンの利用中であっても聴き取る必要があるとユーザにより予め定められた音をそのユーザに聴き取らせることが可能になるとともに、予め定められた音であるか否かの判別を精度良く行うことが可能になる、といった効果を奏する。
【発明を実施するための最良の形態】
【００１０】
以下、図面を参照しつつ、本発明を実施する際の最良の形態について説明する。
（Ａ：構成）
図１は、本発明の一実施形態に係るヘッドホンシステム１０の構成例を示すブロック図である。図１に示すように、このヘッドホンシステム１０は、ヘッドホン１００およびへッドホン駆動制御装置２００を含んでいる。
【００１１】
ヘッドホン１００は、ユーザの左耳に向けて放音するスピーカ１１０Ｌと同ユーザの右耳に向けて音を放音するスピーカ１１０Ｒを有しており、スピーカ１１０Ｌには左チャネルの出力信号ＺＬがヘッドホン駆動制御装置２００から供給され、スピーカ１１０Ｒには右チャネルの出力信号ＺＲがヘッドホン駆動制御装置２００から供給される。図１に示すように、スピーカ１１０Ｌおよび１１０Ｒの各々は、耳あて１３０Ｌおよび１３０Ｒの各々に内蔵されている。図１の耳あて１３０Ｌおよび１３０Ｒは、ヘッドホン１００を装着したユーザの耳を覆い、スピーカ１１０Ｌおよび１１０Ｒから出力される音を受聴する際の妨げとならないように外部音を消音または遮音するためのものである。耳あて１３０Ｌには、スピーカ１１０Ｌの近傍にスピーカ１１０Ｌに対して外向き（すなわち、周囲の音を収音し易い向き）にマイク１２０Ｌが設けられている。同様に、耳あて１３０Ｒには、スピーカ１１０Ｒの近傍にスピーカ１１０Ｒに対して外向きにマイク１２０Ｒが設けられている。マイク１２０Ｌは収音した音（すなわち、外部音）を表す音信号（以下、外部音信号）ＹＬをヘッドホン駆動制御装置２００に供給し、マイク１２０Ｒは収音した外部音を表す外部音信号ＹＲをヘッドホン駆動制御装置２００に供給する。
音源装置３００は、例えば、ＭＰ３プレーヤであり、自装置に記憶されている楽音データにしたがって左右２チャネルの音信号（以下、音源信号）ＸＬおよびＸＲを生成し、ヘッドホン駆動制御装置２００に供給する。
【００１２】
ヘッドホン駆動制御装置２００は、例えば音源装置３００における楽音再生を制御するリモコンとして機能するものであり、音源装置３００から受け取った左チャネルの音源信号ＸＬにレベル調整等の信号処理を施して出力信号ＺＬを生成し、スピーカ１１０Ｌへ供給する一方、音源装置３００から受け取った音源信号ＸＲに同信号処理を施して出力信号ＺＲを生成しスピーカ１１０Ｒへ供給する。
加えて、ヘッドホン駆動制御装置２００は、マイク１２０Ｌおよび１２０Ｒから受け取った外部音信号ＹＬおよびＹＲにより表される音が、ヘッドホンシステムのユーザにより聴き取る必要があるとして予め定められた音であるか否かを判定し、予め定められた音であると判定した場合には、外部音信号ＹＬと音源信号ＸＬをミキシングして出力信号ＺＬを生成するとともに、外部音信号ＹＲと音源信号ＸＲをミキシングして出力信号ＺＲを生成する。これにより、音源装置３００により再生される楽音をヘッドホン１００を利用して聴いているユーザに、そのユーザが聴き取る必要があるとして予め定めた外部音を聴き取らせることが可能になる。
以下、ヘッドホン駆動制御装置２００の構成を中心に図面を参照しつつ説明する。
【００１３】
ヘッドホン駆動制御装置２００は、図１に示すように、操作部２１０、両耳信号処理部２２０、音声認識処理部２３０、ミキサ２４０、外部音信号処理部２５０Ｌおよび２５０Ｒを有している。
図１に示すように、マイク１２０Ｌから供給される外部音信号ＹＬはヘッドホン駆動制御装置２００の内部で２分流され、その一方は両耳信号処理部２２０に他方は外部音信号処理部２５０Ｌに与えられる。同様に、マイク１２０Ｒから供給される外部音信号ＹＲもヘッドホン駆動制御装置２００内で２分流され、一方は両耳信号処理部２２０に他方は外部音信号処理部２５０Ｒに与えられる。また、音源装置３００から供給される音源信号ＸＬおよびＸＲはミキサ２４０に与えられる。
【００１４】
外部音信号処理部２５０Ｌおよび２５０Ｒは、アンプとイコライザとを含んでいる（図１では、何れも図示省略）。上記アンプは、マイク１２０Ｌまたは１２０Ｒから受け取った外部音信号を上記イコライザによる信号処理に適したレベルに増幅して上記イコライザに供給するものであり、上記イコライザは上記アンプから引き渡された音信号にバンドパスフィルタ処理などの各種フィルタ処理を施してミキサ２４０に出力する。
【００１５】
両耳信号処理部２２０は、例えばＤＳＰ（Digital Signal Processor）であり、マイク１２０Ｌおよび１２０Ｒの各々から与えられた外部音信号ＹＬおよびＹＲの位相差または時間差の少なくとも一方を利用して所謂両耳処理を行って雑音成分を除去する等、それら外部音信号の表す音の本来の波形を表す波形データ（その音の音源における波形を表す波形データ）を生成し、その波形データを音声認識処理部２３０に供給する。なお、上記両耳処理の一例としては、外部音信号ＹＬおよびＹＲの時間差および位相差を相殺して両音信号の相関を求めるなどしてノイズ成分の分析を行う処理や音源方向を推定する処理が挙げられる。
【００１６】
音声認識処理部２３０は、例えばＥＥＰＲＯＭ(Electronically Erasable and Programmable Read Only Memory)などの不揮発性メモリやＲＡＭ（Random
Access Memory）などの揮発性メモリとＣＰＵ（Central Processing Unit）を含んでいる（何れも図示省略）。
上記不揮発性メモリには、波形データａ、波形データｂおよび波形データｃの３つの波形データが予め記憶されている。これら３つの波形データは、例えば特定の人の音声や自動車のクラクション音などの波形を表すものであり、具体的には、波形データａは図２（ａ）に示す波形を、波形データｂは図２（ｂ）に示す波形を、そして、波形データｃは図２（ｃ）に示す波形を表している。なお、図２では、説明を簡略化するために、上記各波形データが略正弦波様の波形を表している場合について例示されているが、実際の人の声やクラクション音の波形がより複雑であることは言うまでもない。
【００１７】
さて、図１に示すヘッドホンシステムのユーザは、操作部２１０に設けられている操作子を適宜操作することによって、上記３種類の波形データのうちの１つを予め選択することができ、操作部２１０は、ユーザの操作内容に応じた信号を音声認識処理部２３０に出力する。この信号を受け取った音声認識処理部２３０は、その信号を解析することによって、ユーザにより上記３種類の波形データのうち何れの波形データが選択されたのかを特定し、ユーザにより選択された波形データを示す識別子（例えば、その波形データの格納場所を示すアドレス等）を上記揮発性メモリ内の所定領域に記憶する。
また、上記不揮発性メモリには、上記３種類の波形データの他に、両耳信号処理部２２０から受け取った波形データが上記ユーザにより選択された波形データと一致する否かを判定しその判定結果に応じて制御信号（以下、外部音検出信号）ＣＳをミキサ２４０に出力する処理を上記ＣＰＵに実行させる制御プログラムが予め記憶されている。上記ＣＰＵは上記揮発性メモリをワークエリアとしてその制御プログラムを実行することにより、外部音検出信号ＣＳの出力制御を行う。より詳細に説明すると、上記制御プログラムにしたがって作動しているＣＰＵは、両耳信号処理部２２０から受け取った波形データとユーザにより予め選択された波形データとが一致すると判定した場合に、外部音検出信号ＣＳを出力する。
【００１８】
ミキサ２４０は、図１に示すように、ゲイン制御部２４１と、アンプ２４２Ｌおよび２４２Ｒと、加算器２４３Ｌおよび２４３Ｒと、アンプ２４４Ｌおよび２４４Ｒとを有している。
ゲイン制御部２４１は、前述した外部音検出信号ＣＳを音声認識処理部２３０から受け取ったか否かに応じて、アンプ２４２Ｌおよび２４２Ｒの増幅率とアンプ２４４Ｌおよび２４４Ｒの増幅率を図３に示すゲイン管理テーブルの格納内容にしたがってセットする。より詳細に説明すると、ゲイン制御部２４１は、音声認識処理部２３０と同様に、不揮発性メモリ、揮発性メモリおよびＣＰＵを含んでおり（図１では何れも図示省略）、不揮発性メモリには、上記増幅率制御処理をＣＰＵに実行させるための制御プログラムおよびゲイン管理テーブルが記憶されている。ゲイン制御部２４１のＣＰＵは上記制御プログラムを不揮発性メモリから読み出し、揮発性メモリをワークエリアとして実行する。その結果、音声認識処理部２３０から外部音検出信号ＣＳが出力された場合には、アンプ２４２Ｌおよびアンプ２４２Ｒの増幅率は“０”にセットされ、アンプ２４４Ｌおよび２４４Ｒの増幅率は“１”にセットされる。逆に、音声認識処理部２３０から外部音検出信号ＣＳが出力されない場合には、アンプ２４２Ｌおよびアンプ２４２Ｒ、アンプ２４４Ｌおよび２４４Ｒの増幅率は“１／２”にセットされる。
以上がヘッドホン駆動制御装置２００の構成である。
【００１９】
（Ｂ：動作）
次いで、ヘッドホン駆動制御装置２００が行う動作について図４を参照しつつ説明する。
図４（ａ）から（ｃ）は、時刻Ｔ０から時刻Ｔ３までの期間にヘッドホン駆動制御装置２００に入力される音源信号ＸＬおよび外部音信号ＹＬと、同期間にヘッドホン駆動制御装置２００から出力される出力信号ＺＬの各信号波形を示す図である。なお、本実施形態では、左右２チャネルの入出力波形のうち、左チャネルの入出力波形についてのみ図４（ａ）から（ｃ）に例示されているが、右チャネルの入出力波形は位相差および時間差を除いて左チャネルの入出力波形と同一である。また、以下に説明する動作例では、音源信号ＸＬの周波数はｆ[Ｈｚ]であり、図４（ｂ）に示すように、時刻Ｔ０からＴ１までの期間に入力される外部音信号ＹＬの周波数ｆ／２[Ｈｚ]であり、時刻Ｔ１からＴ２までの期間に入力される外部音信号ＹＬの周波数２ｆ[Ｈｚ]であり、時刻Ｔ２からＴ３までの期間に入力される外部音信号ＹＬの周波数４ｆ[Ｈｚ]であるとする。そして、本動作の開始時点では、周波数がｆ／２[Ｈｚ]、２ｆ[Ｈｚ]および４ｆ[Ｈｚ]である各波形を表す波形データａ、波形データｂおよび波形データｃが音声認識処理部２３０の不揮発性メモリに予め記憶されており、これら３種類の波形データのうち波形データｂが予めユーザにより選択されているものとする。
【００２０】
（Ｂ−１：時刻Ｔ０からＴ１までの期間における動作）
時刻Ｔ０からＴ１までの期間において、マイク１２０Ｌからヘッドホン駆動制御装置２００に入力される外部音信号ＹＬの波形は、図４（ｂ）に示す通り、周波数がｆ／２[Ｈｚ]の波形である。このため、両耳信号処理部２２０は、外部音信号ＹＬおよびＹＲに対して両耳処理を施すことにより図４（ｂ）に示す波形を表す波形データを生成し、その波形データを音声認識処理部２３０へ引き渡す。このように、両耳信号処理部２２０により実行される両耳処理によって雑音成分が除去されるため、外部音信号ＹＬおよびＹＲにノイズが含まれていたとしても、それら外部音信号の信号源における信号波形が上記両耳処理によって復元され、その波形を示す波形データが音声認識処理部２３０に引き渡される。
【００２１】
音声認識処理部２３０のＣＰＵは、両耳信号処理部２２０から受け取った波形データと、ユーザにより指定された波形データとを比較し、その比較結果に応じて外部音検出信号ＣＳを出力する。前述したように、両耳信号処理部２２０から音声認識処理部２３０へ引き渡される波形データにはノイズ成分が含まれていないため、音声認識処理部２３０における音声認識を精度良く実行することが可能になる。
本実施形態では、時刻Ｔ０からＴ１までの期間に両耳信号処理部２２０から音声認識処理部２３０へ引き渡される波形データは、周波数がｆ／２[Ｈｚ]の波形を表す一方、ユーザにより選択された波形データは、周波数が２ｆ「Ｈｚ」の波形を表すため、音声認識処理部２３０のＣＰＵは両波形は一致しないと判定し、外部音検出信号ＣＳを出力しない。
【００２２】
ミキサ２４０のゲイン制御部２４１は、時刻Ｔ０からＴ１までの期間においては、外部音検出信号ＣＳを受け取らないため、図３に示すゲイン管理テーブルの格納内容にしたがって、アンプ２４２Ｌおよび２４２Ｒの増幅率を“０”にセットし、アンプ２４４Ｌおよび２４４Ｒの増幅率を“１”にセットする。その結果、加算器２４３Ｌには音源信号ＸＬのみが入力され、その音源信号ＸＬそのものが出力信号ＺＬとしてスピーカ１１０Ｌに供給される。また、スピーカ１１０Ｒについても同様に、音源信号ＸＲそのものが出力信号ＺＲとして供給されることになる。その結果、スピーカ１１０Ｌおよび１１０Ｒからは、音源装置３００により再生される楽音のみが放音される。つまり、時刻Ｔ０からＴ１までの期間においては、ユーザは、図４（ｃ）に示すように、音源装置３００により再生された楽音のみを聴くことになる。
以上が時刻Ｔ０からＴ１までの期間におけるヘッドホン駆動制御装置２００の動作である。
【００２３】
（Ｂ−２：時刻Ｔ１からＴ２までの期間における動作）
次いで、時刻Ｔ１からＴ２までの期間にてヘッドホン駆動制御装置２００が行う動作について説明する。
時刻Ｔ１からＴ２までの期間においては、マイク１２０Ｌからヘッドホン駆動制御装置２００に入力される外部音信号ＹＬの波形は、図４（ｂ）に示す通り、周波数が２ｆ[Ｈｚ]の波形であり、この波形を表す波形データが両耳信号処理部２２０から音声認識処理部２３０に引き渡される。なお、時刻Ｔ１からＴ２までの期間に両耳信号処理部２２０から音声認識処理部２３０へ引き渡される波形データにはノイズ成分が含まれていないことは、前述した時刻Ｔ０からＴ１までの期間の場合と同様である。
【００２４】
音声認識処理部２３０のＣＰＵは、時刻Ｔ０からＴ１までの期間における動作と同様に、両耳信号処理部２２０から受け取った波形データと、ユーザにより指定された波形データとを比較し、その比較結果に応じて外部音検出信号ＣＳの出力制御を行う。時刻Ｔ１からＴ２までの期間に両耳信号処理部２２０から音声認識処理部２３０へ引き渡される波形データとユーザにより選択された波形データとは、共に周波数が２ｆ「Ｈｚ」の波形を表すため、音声認識処理部２３０は、両者は一致すると判定し外部音検出信号ＣＳをミキサ２４０に出力する。
【００２５】
時刻Ｔ１からＴ２までの期間においては、ミキサ２４０のゲイン制御部２４１は、外部音検出信号ＣＳを音声認識処理部２３０から受け取るため、図３に示すゲイン管理テーブルの格納内容にしたがって、アンプ２４２Ｌ、２４２Ｒ、アンプ２４４Ｌおよび２４４Ｒの増幅率を“１／２”にセットする。その結果、加算器２４３Ｌには音源信号ＸＬおよび外部音信号ＹＬの両者が入力され、両者を１対１の比率でミキシングした出力信号ＺＬがスピーカ１１０Ｌに供給される。スピーカ１１０Ｒについて同様に、音源信号ＸＬおよび外部音信号ＹＬを１対１の比率でミキシングした出力信号ＺＬが供給される。このため、時刻Ｔ１からＴ２までの期間においては、図４（ｃ）に示すように、ユーザは音源装置３００により再生された楽音と外部音とを聴くことになる。
以上が時刻Ｔ１からＴ２までの期間におけるヘッドホン駆動制御装置２００の動作である。以降、ヘッドホン駆動制御装置２００は、時刻Ｔ２からＴ３までの期間においても、前述した時刻Ｔ０からＴ１までの期間と同様の動作を行い、その結果、この期間においてはユーザは音源装置３００により再生される楽音のみを聴くことになる。
【００２６】
以上説明したように、本実施形態に係るヘッドホン駆動制御装置２００においては、ヘッドホンの左右各スピーカに対応して配置された２つのマイクにより収音された外部音信号に両耳処理を施してその音源波形を復元した後に、音声認識処理が行われるため、その外部音がユーザにより予め指定された音であるか否かの判別が精度良く行われる。このため、本実施形態によれば、ヘッドホンの利用中であっても聴き取る必要があるとユーザにより予め定められた音をそのユーザに聴き取らせることが可能になるとともに、予め定められた音であるか否かの判別を精度良く行うことが可能になる。
【００２７】
（Ｃ：変形）
以上、本発明の一実施形態について説明したが、係る実施形態に以下に述べる変形を加えても良いことは勿論である。
（１）上述した実施形態では、ヘッドホンの左右各スピーカに対応して配置された２つのマイクにより収音された外部音信号に両耳処理を施してその音源波形を復元した後にその波形が予め定められた波形と一致するか否かを判定し、一致すると判定した場合にその外部音信号と音源信号とをミキシングして各スピーカへ供給する場合について説明した。しかしながら、上記両耳処理により復元した波形が予め定められた波形と一致している期間は、外部音信号のみを各スピーカへ供給し、一致していない期間については音源信号のみを各スピーカへ供給するようにしても勿論良い。具体的には、図３に示すゲイン管理テーブルに代えて図５（ａ）に示すゲイン管理テーブルを用いるとしても良く、ミキサ２４０に代えて図５（ｂ）に示す選択部２６０を設けることにより実現するとしても良い。なお、図５に示す選択部２６０において、セレクタ２６１Ｌおよび２６１Ｒは、音声認識処理部２３０から外部音出力信号ＣＳを受け取った場合には、アンプ２４２Ｌまたはアンプ２４２Ｒから与えられた音源信号ＸＬまたはＸＲを出力し、上記外部音検出信号ＣＳを受け取らなかった場合には、アンプ２４４Ｌまたはアンプ２４４Ｒから与えられた外部音信号ＹＬまたはＹＲを出力するものである。なお、図５（ａ）に示すゲイン管理テーブルを用いる態様や図５（ｂ）に示す選択部２６０をミキサ２４０に代えて用いる態様では、外部音信号を出力している期間に相当する楽音を聴き逃してしまうため、外部音信号出力期間における音源信号を蓄積記憶するバッファメモリを設けるようにしても良い。
【００２８】
（２）上述した実施形態では、波形データａ、波形データｂおよび波形データｃの３種類の波形データが音声認識処理部２３０の不揮発性メモリに予め記憶されている場合について説明したが、音声認識処理部２３０の不揮発性メモリに予め記憶されている波形データの数は、３に限定されるものではなく、２つ以下であっても良く、４つ以上であっても良い。要は、１又は複数の波形データが音声認識処理部２３０の不揮発性メモリに記憶されていれば良い。なお、音声認識処理部２３０の不揮発性メモリに１つだけ波形データが記憶されている場合には、前述した選択処理をユーザに行わせる必要がないことは言うまでもない。
【００２９】
（３）上述した実施形態では、音声認識処理部２３０の不揮発性メモリに予め波形データが記憶されている場合について説明したが、ユーザの指示に応じて波形データの追加記憶や不揮発性メモリからの消去を行うようにしても勿論良い。具体的には、操作部２１０に対して録音開始を指示する旨の操作が為されてから、その終了を指示する旨の操作が為されるまでの期間にマイク１２０Ｌおよび１２０Ｒから出力される外部音信号ＹＬおよびＹＲに両耳処理を施して得られる波形データを音声認識処理部２３０の不揮発性メモリに書き込む処理を音声認識処理部２３０のＣＰＵに実行させるようにすれば良い。また、ヘッドホンシステムの利用中（すなわち、音源装置３００により再生される楽音を聴いている状態）に、再生音量を所定の閾値以下に引き下げる操作が為された場合に、上記録音開始を指示する旨の操作が為されたと操作部２１０に判定させ、その後、再生音量を上記閾値以上の値に引き上げる操作が為された場合に、上記録音の終了を指示する旨の操作が為されたと操作部２１０に判定させ、その判定結果を上記ＣＰＵへ通知させるようにしても勿論良い。
【００３０】
（４）上述した実施形態では、マイク１２０Ｌおよび１２０Ｒにより収音された外部音が予め定められた音である場合には、その外部音信号と音源信号とを１対１の比率でミキシングしてスピーカ１１０Ｌおよび１１０Ｒに出力する場合について説明したが、両者の比率は１対１に限定されるものではなく適宜定めるようにしても良い。
また、上述した実施形態では、ヘッドホンシステムのユーザにそのヘッドホンシステムの利用中ではあっても聴き取ることを要する外部音を１つだけ予め選択させておく場合について説明したが、複数選択させておくとしても勿論良い。
【図面の簡単な説明】
【００３１】
【図１】本発明の一実施形態に係るヘッドホン駆動制御装置２００の構成例を示すブロック図である。
【図２】同ヘッドホン駆動制御装置２００の音声認識処理部２３０に予め記憶されている波形データの表す波形の一例を示す図である。
【図３】同ヘッドホン駆動制御装置２００のゲイン制御部２４１に記憶されているゲイン管理テーブルの一例を示す図である。
【図４】同ヘッドホン駆動制御装置２００の動作例を示す波形図である。
【図５】変形例（１）に係るヘッドホン駆動制御装置を説明するための図である。
【符号の説明】
【００３２】
１０…ヘッドホンシステム、１００…ヘッドホン、１１０Ｌ，１１０Ｒ…スピーカ、１２０Ｌ，１２０Ｒ…マイク、１３０Ｌ、１３０Ｒ…耳あて、２００…ヘッドホン駆動制御装置、２１０…操作部、２２０…両耳信号処理部、２３０…音声認識処理部、２４０…ミキサ、２４１…ゲイン制御部、２４２Ｌ，２４２Ｒ，２４４Ｌ，２４４Ｒ…アンプ、２４３Ｌ，２４３Ｒ…加算器、２５０Ｌ，２５０Ｒ…外部音信号処理部。
【図１】
2008167319.tif 000003
【図２】
2008167319.tif 000004
【図３】
2008167319.tif 000005
【図４】
2008167319.tif 000006
【図５】
2008167319.tif 000007